(57)【要約】【課題】リモコンの省電力化を十分に図ることができる電子機器システムを提供する。【解決手段】表示パネル１２に画像を表示させるためのセットトップボックス４と、セットトップボックス４と双方向通信可能であり、且つ、セットトップボックス４を遠隔操作するためのリモコン６と、を備え、リモコン６は、リモコン６の動作を検出するジャイロセンサ４２と、ジャイロセンサ４２に電力を供給する通常モード及びジャイロセンサ４２への電力の供給を遮断する省電力モードのいずれかに切り替え可能な電源部４４と、を有し、セットトップボックス４は、セットトップボックス４において第１の条件が満たされたと判断した際に、リモコン６に第１の信号を送信し、リモコン６の電源部４４は、セットトップボックス４からの第１の信号に基づいて、通常モードから省電力モードに切り替えられる。【選択図】図３
2015019238.tif 000002
【特許請求の範囲】
【請求項１】
表示部に画像を表示させるための電子機器と、
前記電子機器と双方向通信可能であり、且つ、前記電子機器を遠隔操作するためのリモコンと、を備え、
前記リモコンは、
前記リモコンの動作を検出するセンサと、
前記センサに電力を供給する通常モード及び前記センサへの電力の供給を遮断する省電力モードのいずれかに切り替え可能な電源部と、
前記センサにより検出された前記リモコンの動作に基づいて、前記電子機器を遠隔操作するためのリモコン信号を前記電子機器に送信する通信部と、を有し、
前記電子機器は、前記電子機器において第１の条件が満たされたと判断した際に、前記リモコンに第１の信号を送信し、
前記リモコンの前記電源部は、前記電子機器からの前記第１の信号に基づいて、前記通常モードから前記省電力モードに切り替えられる
電子機器システム。
【請求項２】
前記電子機器は、さらに、前記リモコンに前記第１の信号を送信した後に、前記電子機器において第２の条件が満たされたと判断した際に、前記リモコンに第２の信号を送信し、
前記リモコンの前記電源部は、前記電子機器からの前記第２の信号に基づいて、前記省電力モードから前記通常モードに切り替えられる
請求項１に記載の電子機器システム。
【請求項３】
前記電子機器には、コンテンツを再生するためのアプリケーションが搭載されており、
前記電子機器は、前記アプリケーションが前記コンテンツを再生している間に、前記コンテンツの再生状態を変化させるような前記リモコンの操作が所定時間行われなかった場合に、前記電子機器において前記第１の条件が満たされたと判断する
請求項２に記載の電子機器システム。
【請求項４】
前記電子機器は、前記リモコンに前記第１の信号を送信した後に、前記アプリケーションが前記コンテンツの再生を終了した場合に、前記電子機器において前記第２の条件が満たされたと判断する
請求項３に記載の電子機器システム。
【請求項５】
前記電子機器には、前記電子機器を操作するための操作装置が接続可能であり、
前記電子機器は、前記操作装置が前記電子機器に接続された場合に、前記電子機器において前記第１の条件が満たされたと判断する
請求項２に記載の電子機器システム。
【請求項６】
前記電子機器は、前記リモコンに前記第１の信号を送信した後に、前記操作装置と前記電子機器との接続が解除された場合に、前記電子機器において前記第２の条件が満たされたと判断する
請求項５に記載の電子機器システム。
【請求項７】
前記電子機器は、前記リモコンによって前記電子機器が所定時間遠隔操作されなかった場合に、前記電子機器において前記第１の条件が満たされたと判断する
請求項１に記載の電子機器システム。
【請求項８】
前記リモコンの前記電源部は、前記電子機器からの前記第１の信号を受信した後に、前記リモコンの操作が行われた場合に、前記省電力モードから前記通常モードに切り替えられる
請求項７に記載の電子機器システム。
【請求項９】
前記電子機器は、前記表示部にメニュー画面が所定時間ＯＳＤ（Ｏｎ  Ｓｃｒｅｅｎ  Ｄｉｓｐｌａｙ）表示されなかった場合に、前記電子機器において前記第１の条件が満たされたと判断する
請求項２に記載の電子機器システム。
【請求項１０】
前記電子機器は、前記リモコンに前記第１の信号を送信した後に、前記表示部に前記メニュー画面がＯＳＤ表示された場合に、前記電子機器において前記第２の条件が満たされたと判断する
請求項９に記載の電子機器システム。
【請求項１１】
前記センサは、ジャイロセンサ又は加速度センサである
請求項１〜１０のいずれか１項に記載の電子機器システム。
【請求項１２】
前記表示部はテレビジョン受像機に設けられており、
前記電子機器は、前記テレビジョン受像機に接続されたセットトップボックスである
請求項１〜１１のいずれか１項に記載の電子機器システム。
【発明の詳細な説明】
【技術分野】
【０００１】
本発明は、電子機器及び当該電子機器を遠隔操作するためのリモートコントローラ（以下、「リモコン」という）を備えた電子機器システムに関する。
【背景技術】
【０００２】
近年、テレビジョン受像機によるインターネットの利用を可能にするためのセットトップボックス（Ｓｅｔ  Ｔｏｐ  Ｂｏｘ：ＳＴＢ）（電子機器を構成する）が知られている。セットトップボックスは、無線ＬＡＮ（Ｌｏｃａｌ  Ａｒｅａ  Ｎｅｔｗｏｒｋ）を介してインターネットに接続可能である。このセットトップボックスをテレビジョン受像機に接続することによって、例えばインターネット上のウェブサイト等をテレビジョン受像機の表示パネルに表示させることができる。
【０００３】
上述したセットトップボックスは、ポインティングデバイスとしてのリモコンによって遠隔操作することができる（例えば、特許文献１参照）。このリモコンには、当該リモコンの角速度を検出するジャイロセンサが内蔵されている。ジャイロセンサからの角速度信号は、リモコンからセットトップボックスに送信される。これにより、例えばユーザがリモコンを手に持って動かすことによって、表示パネルに表示されたポインタをリモコンの動きに合わせて移動させることができる。
【０００４】
従来のリモコンには、リモコンの省電力化を図るための省電力機能が搭載されている。この省電力機能は、リモコンが自身の状態に応じて、自身を通常モードから省電力モードに切り替えるという機能である。通常モードとは、リモコンに内蔵された電池からジャイロセンサに電力が供給されるモードである。一方、省電力モードとは、リモコンに内蔵された電池からジャイロセンサに供給される電力が遮断されるモードである。例えば、リモコンが所定時間（例えば、５分）操作されなかった場合に、リモコンは、自身を通常モードから省電力モードに切り替える。
【先行技術文献】
【特許文献】
【０００５】
【特許文献１】特開２０１０−７９８２４号公報
【発明の概要】
【発明が解決しようとする課題】
【０００６】
しかしながら、上述したようにリモコン自身の状態に応じて通常モードと省電力モードとを切り替えるという構成では、リモコンの省電力化を十分に図ることができないおそれが生じる。具体的には、例えばユーザがセットトップボックスに別の操作デバイス（例えば、マウス等）を接続し、当該操作デバイスを用いてセットトップボックスを操作する場合がある。この場合、リモコンは、操作デバイスがセットトップボックスに接続されてから所定時間が経過するまでの期間、通常モードに維持されるようになる。そのため、ユーザによってリモコンが操作されない上記期間の間、ジャイロセンサには電力が供給され続けるので、リモコンに内蔵された電池が比較的早く消耗してしまう。
【０００７】
本発明は、上述した課題を解決しようとするものであり、その目的は、リモコンの省電力化を十分に図ることができる電子機器システムを提供することである。
【課題を解決するための手段】
【０００８】
上記目的を達成するために、本発明の一態様に係る電子機器システムは、表示部に画像を表示させるための電子機器と、前記電子機器と双方向通信可能であり、且つ、前記電子機器を遠隔操作するためのリモコンと、を備え、前記リモコンは、前記リモコンの動作を検出するセンサと、前記センサに電力を供給する通常モード及び前記センサへの電力の供給を遮断する省電力モードのいずれかに切り替え可能な電源部と、前記センサにより検出された前記リモコンの動作に基づいて、前記電子機器を遠隔操作するためのリモコン信号を前記電子機器に送信する通信部と、を有し、前記電子機器は、前記電子機器において第１の条件が満たされたと判断した際に、前記リモコンに第１の信号を送信し、前記リモコンの前記電源部は、前記電子機器からの前記第１の信号に基づいて、前記通常モードから前記省電力モードに切り替えられる。
【０００９】
本態様によれば、電子機器は、当該電子機器において第１の条件が満たされたと判断した際に、リモコンに第１の信号を送信する。これにより、電子機器の状態が、ユーザによってリモコンが操作されないと考えられる状態に移行した際に、リモコンの電源部を通常モードから省電力モードに切り替えることができる。その結果、ユーザによってリモコンが操作されない期間に、電源部からの電力がセンサに供給されてしまうのを抑制することができ、電源部の電力消費量を効果的に低減することができる。
【００１０】
例えば、本発明の一態様に係る電子機器システムにおいて、前記電子機器は、さらに、前記リモコンに前記第１の信号を送信した後に、前記電子機器において第２の条件が満たされたと判断した際に、前記リモコンに第２の信号を送信し、前記リモコンの前記電源部は、前記電子機器からの前記第２の信号に基づいて、前記省電力モードから前記通常モードに切り替えられるように構成してもよい。
【００１１】
本態様によれば、電子機器は、さらに、リモコンに第１の信号を送信した後に、電子機器において第２の条件が満たされたと判断した際に、リモコンに第２の信号を送信する。これにより、電子機器の状態が、ユーザによってリモコンが再び操作されると考えられる状態に移行した際に、リモコンの電源部を省電力モードから通常モードに切り替えることができる。その結果、ユーザは、リモコンの操作をスムーズに再開することができる。
【００１２】
例えば、本発明の一態様に係る電子機器システムにおいて、前記電子機器には、コンテンツを再生するためのアプリケーションが搭載されており、前記電子機器は、前記アプリケーションが前記コンテンツを再生している間に、前記コンテンツの再生状態を変化させるような前記リモコンの操作が所定時間行われなかった場合に、前記電子機器において前記第１の条件が満たされたと判断するように構成してもよい。
【００１３】
本態様によれば、アプリケーションがコンテンツを再生している間に、コンテンツの再生状態を変化させるようなリモコンの操作が所定時間行われなかった場合には、ユーザはコンテンツを視聴しているためにリモコンの操作を行わないと考えられる。そのため、この場合には、電子機器は、当該電子機器の状態がユーザによってリモコンが操作されないと考えられる状態に移行したと判断することができる。
【００１４】
例えば、本発明の一態様に係る電子機器システムにおいて、前記電子機器は、前記リモコンに前記第１の信号を送信した後に、前記アプリケーションが前記コンテンツの再生を終了した場合に、前記電子機器において前記第２の条件が満たされたと判断するように構成してもよい。
【００１５】
本態様によれば、アプリケーションがコンテンツの再生を終了した場合には、ユーザはコンテンツの視聴を終えたためにリモコンの操作を再び行うと考えられる。そのため、この場合には、電子機器は、当該電子機器の状態がユーザによってリモコンが再び操作されると考えられる状態に移行したと判断することができる。
【００１６】
例えば、本発明の一態様に係る電子機器システムにおいて、前記電子機器には、前記電子機器を操作するための操作装置が接続可能であり、前記電子機器は、前記操作装置が前記電子機器に接続された場合に、前記電子機器において前記第１の条件が満たされたと判断するように構成してもよい。
【００１７】
本態様によれば、リモコンとは別の操作装置が電子機器に接続された場合には、ユーザは当該操作装置を用いて電子機器を操作するためにリモコンの操作を行わないと考えられる。そのため、この場合には、電子機器は、当該電子機器の状態がユーザによってリモコンが操作されないと考えられる状態に移行したと判断することができる。
【００１８】
例えば、本発明の一態様に係る電子機器システムにおいて、前記電子機器は、前記リモコンに前記第１の信号を送信した後に、前記操作装置と前記電子機器との接続が解除された場合に、前記電子機器において前記第２の条件が満たされたと判断するように構成してもよい。
【００１９】
本態様によれば、操作装置と電子機器との接続が解除された場合には、ユーザはリモコンの操作を再び行うと考えられる。そのため、この場合には、電子機器は、当該電子機器の状態がユーザによってリモコンが再び操作されると考えられる状態に移行したと判断することができる。
【００２０】
例えば、本発明の一態様に係る電子機器システムにおいて、前記電子機器は、前記リモコンによって前記電子機器が所定時間遠隔操作されなかった場合に、前記電子機器において前記第１の条件が満たされたと判断するように構成してもよい。
【００２１】
本態様によれば、リモコンによって電子機器が所定時間遠隔操作されなかった場合には、ユーザは電子機器を操作する必要がないためにリモコンの操作を行わないと考えられる。そのため、この場合には、電子機器は、当該電子機器の状態がユーザによってリモコンが操作されないと考えられる状態に移行したと判断することができる。
【００２２】
例えば、本発明の一態様に係る電子機器システムにおいて、前記リモコンの前記電源部は、前記電子機器からの前記第１の信号を受信した後に、前記リモコンの操作が行われた場合に、前記省電力モードから前記通常モードに切り替えられるように構成してもよい。
【００２３】
本態様によれば、ユーザによってリモコンの操作が再び行われた場合に、リモコンの電源部を省電力モードから通常モードに切り替えることができる。
【００２４】
例えば、本発明の一態様に係る電子機器システムにおいて、前記電子機器は、前記表示部にメニュー画面が所定時間ＯＳＤ（Ｏｎ  Ｓｃｒｅｅｎ  Ｄｉｓｐｌａｙ）表示されなかった場合に、前記電子機器において前記第１の条件が満たされたと判断するように構成してもよい。
【００２５】
本態様によれば、表示部にメニュー画面が所定時間ＯＳＤ表示されなかった場合には、ユーザは電子機器を操作する必要がないためにリモコンの操作を行わないと考えられる。そのため、この場合には、電子機器は、当該電子機器の状態がユーザによってリモコンが操作されないと考えられる状態に移行したと判断することができる。
【００２６】
例えば、本発明の一態様に係る電子機器システムにおいて、前記電子機器は、前記リモコンに前記第１の信号を送信した後に、前記表示部に前記メニュー画面がＯＳＤ表示された場合に、前記電子機器において前記第２の条件が満たされたと判断するように構成してもよい。
【００２７】
本態様によれば、表示部にメニュー画面が再びＯＳＤ表示された場合には、ユーザは電子機器を操作する必要があるためにリモコンの操作を再び行うと考えられる。そのため、この場合には、電子機器は、当該電子機器の状態がユーザによってリモコンが再び操作されると考えられる状態に移行したと判断することができる。
【００２８】
例えば、本発明の一態様に係る電子機器システムにおいて、前記センサは、ジャイロセンサ又は加速度センサであるように構成してもよい。
【００２９】
本態様によれば、センサをジャイロセンサ又は加速度センサで構成することができる。
【００３０】
例えば、本発明の一態様に係る電子機器システムにおいて、前記表示部はテレビジョン受像機に設けられており、前記電子機器は、前記テレビジョン受像機に接続されたセットトップボックスであるように構成してもよい。
【００３１】
本態様によれば、電子機器を、テレビジョン受像機に接続されたセットトップボックスで構成することができる。
【００３２】
なお、本発明は、このような特徴的な制御部を備える電子機器システムとして実現することができるだけでなく、電子機器システムに含まれる特徴的な制御部が実行する処理をステップとする制御方法として実現することができる。また、電子機器システムに含まれる特徴的な制御部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３３】
本発明の一態様に係る電子機器システムによれば、電子機器の状態に応じてリモコンの電源部を通常モード及び省電力モードのいずれかに切り替えることによって、リモコンの省電力化を十分に図ることができる。
【図面の簡単な説明】
【００３４】
【図１】実施の形態１に係る電子機器システムの構成を示す図である。
【図２】実施の形態１に係るセットトップボックスの機能的構成を示すブロック図である。
【図３】実施の形態１に係るリモコンの機能的構成を示すブロック図である。
【図４】実施の形態１に係る電子機器システムにおける、通常モードと省電力モードとの切り替えの流れを示すシーケンス図である。
【図５】アプリケーションのメニュー画面が表示パネルにＯＳＤ表示された状態を示す図である。
【図６】実施の形態２に係る電子機器システムにおける、通常モードと省電力モードとの切り替えの流れを示すシーケンス図である。
【図７】実施の形態３に係る電子機器システムにおける、通常モードと省電力モードとの切り替えの流れを示すシーケンス図である。
【図８】実施の形態４に係る電子機器システムにおける、通常モードと省電力モードとの切り替えの流れを示すシーケンス図である。
【発明を実施するための形態】
【００３５】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
（実施の形態１）
［電子機器システムの概略構成］
まず、図１を参照しながら、実施の形態１に係る電子機器システムの概略構成について説明する。図１は、実施の形態１に係る電子機器システムの構成を示す図である。
【００３７】
図１に示すように、本実施の形態の電子機器システム２は、セットトップボックス４及びリモコン６を備えている。なお、図面では、「セットトップボックス」を「ＳＴＢ」と表示している。
【００３８】
セットトップボックス４は、テレビジョン受像機８によるインターネットの利用及びアプリケーションの利用等を可能にするための電子機器である。セットトップボックス４は、テレビジョン受像機８にＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル１０を介して接続されている。なお、テレビジョン受像機８には、画像を表示するための表示パネル１２（表示部を構成する）が設けられている。また、セットトップボックス４は、無線ＬＡＮ（図示せず）を介してインターネット３８（後述する図２参照）に接続されている。さらに、セットトップボックス４には、各種のアプリケーションが搭載されている。なお、これらのアプリケーションは、例えばＡｎｄｒｏｉｄ（登録商標）等のＯＳ（Ｏｐｅｒａｔｉｎｇ  Ｓｙｓｔｅｍ）上で動作するアプリケーションである。
【００３９】
リモコン６は、セットトップボックス４を遠隔操作するためのポインティングデバイスである。リモコン６には、例えば、十字キー１４、決定キー１６及びモード切替キー１８等が設けられている。
【００４０】
十字キー１４及び決定キー１６はそれぞれ、例えば表示パネル１２にＯＳＤ（Ｏｎ  Ｓｃｒｅｅｎ  Ｄｉｓｐｌａｙ）表示されたメニュー画面５２（後述する図５参照）等を操作するためのキーである。
【００４１】
モード切替キー１８は、カーソルモードとポインティングモードとを切り替えるためのキーである。モード切替キー１８を押すことにより、カーソルモードからポインティングモードに（又はポインティングモードからカーソルモードに）切り替えられる。カーソルモードとは、十字キー１４を操作することにより、表示パネル１２に表示されたカーソル（図示せず）を移動させるモードである。ポインティングモードとは、ユーザがリモコン６を手に持って上下左右に動かすことにより、表示パネル１２に表示されたポインタ２０をリモコン６の動きに合わせて移動させるモードである。なお、カーソルモードでは、表示パネル１２にはポインタ２０は表示されない。
【００４２】
リモコン６によるセットトップボックス４の遠隔操作は、次のようにして行われる。例えば、アプリケーションを起動するためのアイコン２２が表示パネル１２に表示されている際に、ポインティングモードで当該アプリケーションを起動させたい場合には、まず、ユーザがモード切替キー１８を押すことにより、カーソルモードからポインティングモードに切り替える。次に、ユーザがリモコン６を手に持って上下左右に動かすことにより、ポインタ２０をアイコン２２の上に重ねる。その後、ユーザが決定キー１６を押すことにより、例えばコンテンツ（動画、音楽及び画像等）を再生するためのアプリケーションが起動され、表示パネル１２に再生されたコンテンツが表示される。
【００４３】
［セットトップボックスの機能的構成］
次に、図２を参照しながら、上述したセットトップボックス４の機能的構成について説明する。図２は、実施の形態１に係るセットトップボックスの機能的構成を示すブロック図である。
【００４４】
図２に示すように、セットトップボックス４は、記憶部２４、リモコン通信部２６、通信部２８、出力部３０、ＵＳＢ（Ｕｎｉｖｅｒｓａｌ  Ｓｅｒｉａｌ  Ｂｕｓ）インターフェース３２、タイマ３４及び制御部３６を有している。
【００４５】
記憶部２４は、制御プログラム及び各種のアプリケーション等が格納されたＲＯＭ（Ｒｅａｄ  Ｏｎｌｙ  Ｍｅｍｏｒｙ）である。記憶部２４に格納されたアプリケーションは、例えば、コンテンツを再生するためのアプリケーション等である。
【００４６】
リモコン通信部２６は、リモコン６との間で、例えばブルートゥース（Ｂｌｕｅｔｏｏｔｈ（登録商標））等による双方向無線通信を行うためのインターフェースである。リモコン通信部２６は、リモコン６から出力されたリモコン信号（後述する角速度情報及びキー入力情報を含む信号）を受信する。リモコン通信部２６は、受信したリモコン信号をリモコンコードに変換し、このリモコンコードを制御部３６に出力する。さらに、リモコン通信部２６は、制御部３６から出力された第１の信号又は第２の信号（後述する）をリモコン６に送信する。
【００４７】
通信部２８は、セットトップボックス４とインターネット３８とを無線ＬＡＮ（図示せず）を介して相互に接続するためのインターフェースである。
【００４８】
出力部３０は、セットトップボックス４とテレビジョン受像機８とをＨＤＭＩ（登録商標）ケーブル１０を介して相互に接続するためのインターフェースである。
【００４９】
ＵＳＢインターフェース３２は、セットトップボックス４とＵＳＢ機器とを相互に接続するための通信アダプタである。ＵＳＢインターフェース３２には、ＵＳＢ機器として、例えばセットトップボックス４を操作するための操作装置（例えば、マウス４０及びキーボード等）が接続される。
【００５０】
タイマ３４は、記憶部２４に格納されたアプリケーションによりコンテンツの再生が開始されてからの経過時間をカウントする。なお、タイマ３４によりカウントされた経過時間は、リモコン６からセットトップボックス４にリモコン情報（後述するキー入力情報）が送信された際にリセットされる。この場合には、タイマ３４は、リモコン６からセットトップボックス４にリモコン情報（後述するキー入力情報）が送信されてからの経過時間を再びカウントする。
【００５１】
制御部３６は、例えばマイクロコンピュータで構成されている。制御部３６は、記憶部２４に格納された制御プログラムに基づいて、セットトップボックス４を統括的に制御する。以下、制御部３６の各種機能について説明する。
【００５２】
制御部３６は、テレビジョン受像機８の表示パネル１２の表示内容を制御する。制御部３６は、例えば、インターネット３８上のウェブサイト及びアプリケーションにより再生されたコンテンツ等を表示パネル１２に表示させる。さらに、制御部３６は、例えば、アプリケーションのメニュー画面５２等を表示パネル１２にＯＳＤ表示させる。
【００５３】
さらに、制御部３６は、リモコン通信部２６から出力されたリモコンコードに基づいて、各種の制御（例えば、カーソルモードとポインティングモードとの切り替え、ポインタ２０の移動及びアプリケーションの起動等）を行う。
【００５４】
さらに、制御部３６は、上述したポインティングモードにおいて表示パネル１２にポインタ２０を表示させるとともに、表示パネル１２上におけるポインタ２０の表示位置を移動させる。具体的には、制御部３６は、リモコン６からのリモコン信号（後述する角速度情報）に基づいて、ポインタ２０の表示位置（例えば、ＸＹ座標）を適宜設定する。例えば、角速度情報にＸ軸方向（すなわち、表示パネル１２の横方向）の加速度が含まれる場合には、制御部３６は、ポインタ２０の表示位置をＸ軸方向に加速度の大きさに応じた距離だけ移動させる。角速度情報にＹ軸方向（すなわち、表示パネル１２の縦方向）の加速度が含まれる場合には、制御部３６は、ポインタ２０の表示位置をＹ軸方向に加速度の大きさに応じた距離だけ移動させる。すなわち、ユーザがリモコン６の表示パネル１２に対する角度を変えることにより、ポインタ２０の表示位置を移動させることができる。
【００５５】
ここで、制御部３６の特徴的な機能について説明する。制御部３６は、第１の信号又は第２の信号を、リモコン通信部２６を介してリモコン６に送信する。第１の信号は、リモコン６に設けられたジャイロセンサ４２（後述する図３参照）への電力の供給を遮断するように、リモコン６の制御部５０（後述する図３参照）に指示するための信号である。第２の信号は、ジャイロセンサ４２への電力の供給を再開するように、リモコン６の制御部５０に指示するための信号である。
【００５６】
制御部３６は、アプリケーションがコンテンツを再生している間に、コンテンツの再生状態を変化させるようなリモコン６の操作が所定時間（例えば、数秒〜十数秒）行われなかった（すなわち、セットトップボックス４において第１の条件が満たされた）と判断した際に、リモコン６に第１の信号を送信する。制御部３６は、タイマ３４によりカウントされた経過時間に基づいて、アプリケーションがコンテンツを再生している間に、コンテンツの再生状態を変化させるようなリモコン６の操作が上記所定時間行われなかったかどうか（換言すると、リモコン６からセットトップボックス４に後述するキー入力情報が所定時間送信されなかったかどうか）を判断する。なお、「コンテンツの再生状態を変化させるようなリモコン６の操作」とは、例えば、コンテンツの再生を停止する操作、コンテンツの再生を一時停止する操作及びコンテンツの再生をスキップする操作等である。
【００５７】
制御部３６は、さらに、リモコン６に第１の信号を送信した後に、アプリケーションがコンテンツの再生を終了した（すなわち、セットトップボックス４において第２の条件が満たされた）と判断した際に、リモコン６に第２の信号を送信する。
【００５８】
［リモコンの機能的構成］
次に、図３を参照しながら、上述したリモコン６の機能的構成について説明する。図３は、実施の形態１に係るリモコンの機能的構成を示すブロック図である。
【００５９】
図３に示すように、リモコン６は、ジャイロセンサ４２（センサを構成する）、電源部４４、キー入力部４６、通信部４８及び制御部５０を有している。
【００６０】
ジャイロセンサ４２は、リモコン６に内蔵されており、リモコン６の角速度（すなわち、リモコン６の動き）を検出するセンサである。具体的には、ジャイロセンサ４２は、リモコン６のＸ軸方向（図１参照）における加速度及びＹ軸方向（図１参照）における加速度をそれぞれ角速度として検出する。ジャイロセンサ４２は、検出した角速度を示す角速度情報を制御部５０に出力する。
【００６１】
電源部４４は、リモコン６に内蔵されており、ジャイロセンサ４２及び制御部５０等に電力を供給するための乾電池又は充電式バッテリ等である。電源部４４は、制御部５０からの指示に基づいて、通常モード及び省電力モードのいずれかに切り替えられる。通常モードとは、電源部４４からの電力をジャイロセンサ４２に供給するモードである。省電力モードとは、電源部４４からジャイロセンサ４２への電力の供給を遮断するモードである。通常モードと省電力モードとの切り替えのタイミングについては後述する。
【００６２】
キー入力部４６は、押されたリモコン６のキー（例えば、十字キー１４、決定キー１６及びモード切替キー１８等）を検出し、どのキーが押されたかを示すキー入力情報を生成する。キー入力部４６は、生成したキー入力情報を制御部５０に出力する。
【００６３】
通信部４８は、セットトップボックス４との間で、例えばブルートゥース（Ｂｌｕｅｔｏｏｔｈ（登録商標））等による双方向無線通信を行うためのインターフェースである。通信部４８は、制御部５０から出力された角速度情報及びキー入力情報をそれぞれリモコン信号としてセットトップボックス４に送信する。すなわち、通信部４８は、ユーザがリモコン６を手に持って動かしたときには、角速度情報をセットトップボックス４に送信する。一方、通信部４８は、ユーザがリモコン６のキー（例えば、十字キー１４、決定キー１６及びモード切替キー１８等）を押したときには、キー入力情報をセットトップボックス４に送信する。さらに、通信部４８は、セットトップボックス４から送信された第１の信号又は第２の信号を受信する。
【００６４】
制御部５０は、ジャイロセンサ４２からの角速度情報及びキー入力部４６からのキー入力情報をそれぞれ通信部４８に出力する。
【００６５】
ここで、制御部５０の特徴的な機能について説明する。制御部５０は、セットトップボックス４からの第１の信号を受信した際には、電源部４４を通常モードから省電力モードに切り替える。一方、制御部５０は、セットトップボックス４からの第２の信号を受信した際には、電源部４４を省電力モードから通常モードに切り替える。
【００６６】
［通常モードと省電力モードとの切り替えの流れ］
次に、図４及び図５を参照しながら、本実施の形態の電子機器システム２の特徴的な機能である、通常モードと省電力モードとの切り替えの流れについて説明する。図４は、実施の形態１に係る電子機器システムにおける、通常モードと省電力モードとの切り替えの流れを示すシーケンス図である。図５は、アプリケーションのメニュー画面が表示パネルにＯＳＤ表示された状態を示す図である。
【００６７】
図４に示すように、セットトップボックス４では、ユーザがリモコン６のモード切替キー１８を押すことによりポインティングモードに切り替えられている（Ｓ１）。これにより、表示パネル１２にはポインタ２０が表示されている。さらに、リモコン６の電源部４４は、通常モードに切り替えられている（Ｓ２）。これにより、電源部４４からの電力がジャイロセンサ４２に供給されている。
【００６８】
この状態で、ユーザは、リモコン６を操作することにより、コンテンツ（例えば、インターネット３８より取得した動画）を再生するためのアプリケーションを起動させる。まず、ユーザがリモコン６を手に持って上下左右に動かすことにより、表示パネル１２においてポインタ２０をアイコン２２（図１参照）の上に重ねる。このとき、リモコン６からセットトップボックス４にリモコン信号（角速度情報）が送信される（Ｓ３）。その後、ユーザがリモコン６の決定キー１６を押すことにより、リモコン６からセットトップボックス４にリモコン信号（キー入力情報）が送信され（Ｓ４）、アプリケーションが起動される（Ｓ５）。
【００６９】
図５に示すように、アプリケーションが起動された際には、表示パネル１２にアプリケーションのメニュー画面５２がＯＳＤ表示される。このメニュー画面５２には、例えば、コンテンツの再生を開始するための再生ボタン５４、コンテンツの再生をスキップするためのスキップボタン５６，５８及びコンテンツの再生を停止するための停止ボタン６０等が配置されている。
【００７０】
コンテンツの再生を開始する際には、まず、ユーザがリモコン６を手に持って上下左右に動かすことにより、表示パネル１２においてポインタ２０を再生ボタン５４の上に重ねる。このとき、リモコン６からセットトップボックス４にリモコン信号（角速度情報）が送信される（Ｓ６）。その後、ユーザがリモコン６の決定キー１６を押すことにより、リモコン６からセットトップボックス４にリモコン信号（キー入力情報）が送信され（Ｓ７）、コンテンツの再生が開始される（Ｓ８）。なお、メニュー画面５２の表示領域６２には、再生されたコンテンツが表示される。
【００７１】
コンテンツの再生開始後、ユーザがリモコン６を手に持って上下左右に動かした場合には、リモコン６からセットトップボックス４にリモコン信号（角速度情報）が送信され（Ｓ９）、ポインタ２０の表示位置が移動される。
【００７２】
アプリケーションがコンテンツを再生している間に、コンテンツの再生状態を変化させるようなリモコン６の操作が所定時間（例えば、数秒〜十数秒）行われなかった際には（Ｓ１０）、セットトップボックス４からリモコン６に第１の信号が送信される（Ｓ１１）。リモコン６の電源部４４は、セットトップボックス４からの第１の信号に基づいて、通常モードから省電力モードに切り替えられる（Ｓ１２）。これにより、電源部４４からジャイロセンサ４２への電力の供給が遮断される。これ以降、ジャイロセンサ４２はリモコン６の角速度を検出しないので、ユーザがリモコン６を手に持って上下左右に動かした場合であっても、リモコン６からセットトップボックス４にリモコン信号（角速度情報）は送信されない。そのため、ユーザがリモコン６を手に持って上下左右に動かした場合であっても、表示パネル１２におけるポインタ２０の表示位置は移動しない。
【００７３】
なお、セットトップボックス４の制御部３６は、リモコン６に第１の信号を送信した際に、表示パネル１２にポインタ２０を表示させないように制御することもできる。あるいは、セットトップボックス４の制御部３６は、リモコン６に第１の信号を送信した際に、ポインティングモードからカーソルモードに自動的に切り替えるように制御することもできる。
【００７４】
その後、アプリケーションがコンテンツの再生を終了した際には（Ｓ１３）、セットトップボックス４からリモコン６に第２の信号が送信される（Ｓ１４）。リモコン６の電源部４４は、セットトップボックス４からの第２の信号に基づいて、省電力モードから通常モードに再び切り替えられる（Ｓ１５）。これにより、電源部４４からジャイロセンサ４２への電力の供給が再開される。これ以降、ジャイロセンサ４２はリモコン６の角速度を再び検出するので、ユーザがリモコン６を手に持って上下左右に動かした場合には、リモコン６からセットトップボックス４にリモコン信号（角速度情報）が送信される（Ｓ１６）。
【００７５】
なお、セットトップボックス４の制御部３６は、リモコン６に第２の信号を送信した際に、表示パネル１２にポインタ２０を表示させるように制御することもできる。
【００７６】
［効果］
次に、本実施の形態の電子機器システム２により得られる効果について説明する。上述したように、アプリケーションがコンテンツを再生している間に、コンテンツの再生状態を変化させるようなリモコン６の操作が所定時間行われなかった際には、ユーザは、コンテンツを視聴しているためにリモコン６の操作を行わないものと考えられる。そのため、このタイミングでセットトップボックス４からリモコン６に第１の信号を送信することにより、ユーザがリモコン６の操作を行わない期間に電源部４４からの電力がジャイロセンサ４２に供給されてしまうのを抑制することができる。その結果、リモコン６の電源部４４の電力消費量を効果的に低減することができる。
【００７７】
従って、本実施の形態の電子機器システム２では、リモコン６の電源部４４は、セットトップボックス４の状態に応じて通常モードから省電力モードに切り替えられるので、リモコン６の省電力化を十分に図ることができる。
【００７８】
さらに、アプリケーションがコンテンツの再生を終了した際には、ユーザはコンテンツの視聴を終えたためにリモコン６を再び操作すると考えられる。そのため、このタイミングでセットトップボックス４からリモコン６に第２の信号を送信することにより、ユーザはリモコン６の操作をスムーズに再開することができる。
【００７９】
（実施の形態２）
次に、図６を参照しながら、実施の形態２に係る電子機器システムの構成について説明する。図６は、実施の形態２に係る電子機器システムにおける、通常モードと省電力モードとの切り替えの流れを示すシーケンス図である。なお、以下に示す各実施の形態において、上記実施の形態１と同一の構成要素には同一の符号を付して、その説明を省略する。
【００８０】
本実施の形態の電子機器システム２は、上記実施の形態１の電子機器システムと同様の機能的構成を備えているので、セットトップボックス４及びリモコン６の各々の機能的構成については、図１〜図３を参照しながら説明する。
【００８１】
本実施の形態の電子機器システム２では、セットトップボックス４の制御部３６は、セットトップボックス４にＵＳＢ機器（本実施の形態では、マウス４０）が接続された（すなわち、セットトップボックス４において第１の条件が満たされた）と判断した際に、リモコン６に第１の信号を送信する。制御部３６は、さらに、リモコン６に第１の信号を送信した後に、セットトップボックス４とＵＳＢ機器との接続が解除された（すなわち、セットトップボックス４において第２の条件が満たされた）と判断した際に、リモコン６に第２の信号を送信する。
【００８２】
なお、「セットトップボックス４にＵＳＢ機器が接続された」とは、ＵＳＢ機器がＵＳＢインターフェース３２に物理的に接続されることだけでなく、ＵＳＢ機器が制御部３６に論理的に接続されることをも意味する。さらに、「セットトップボックス４とＵＳＢ機器との接続が解除された」とは、ＵＳＢ機器がＵＳＢインターフェース３２から物理的に切断されることだけでなく、ＵＳＢ機器がセットトップボックス４から論理的に切断されることをも意味する。
【００８３】
次に、図６を参照しながら、本実施の形態の電子機器システム２における、通常モードと省電力モードとの切り替えの流れについて説明する。図６に示すように、セットトップボックス４では、ユーザがリモコン６のモード切替キー１８を押すことによりポインティングモードに切り替えられている（Ｓ３１）。さらに、リモコン６の電源部４４は、通常モードに切り替えられている（Ｓ３２）。
【００８４】
この状態で、ユーザがリモコン６を手に持って上下左右に動かすことにより、リモコン６からセットトップボックス４にリモコン信号（角速度情報）が送信される（Ｓ３３）。その後、ユーザがマウス４０を用いてセットトップボックス４を操作するために、マウス４０をセットトップボックス４のＵＳＢインターフェース３２に接続した際には（Ｓ３４）、セットトップボックス４からリモコン６に第１の信号が送信される（Ｓ３５）。リモコン６の電源部４４は、セットトップボックス４からの第１の信号に基づいて、通常モードから省電力モードに切り替えられる（Ｓ３６）。これにより、電源部４４からジャイロセンサ４２への電力の供給が遮断される。
【００８５】
その後、ユーザがマウス４０とＵＳＢインターフェース３２との接続を解除した際には（Ｓ３７）、セットトップボックス４からリモコン６に第２の信号が送信される（Ｓ３８）。リモコン６の電源部４４は、セットトップボックス４からの第２の信号に基づいて、省電力モードから通常モードに再び切り替えられる（Ｓ３９）。これにより、電源部４４からジャイロセンサ４２への電力の供給が再開される。これ以降、ジャイロセンサ４２はリモコン６の角速度を再び検出するので、ユーザがリモコン６を手に持って上下左右に動かした場合には、リモコン６からセットトップボックス４にリモコン信号（角速度情報）が送信される（Ｓ４０）。
【００８６】
次に、本実施の形態の電子機器システム２により得られる効果について説明する。上述したように、ユーザがマウス４０をセットトップボックス４のＵＳＢインターフェース３２に接続した際には、ユーザは、マウス４０を用いてセットトップボックス４を操作するためにリモコン６の操作を行わないものと考えられる。そのため、このタイミングでセットトップボックス４からリモコン６に第１の信号を送信することにより、ユーザがリモコン６の操作を行わない期間に電源部４４からの電力がジャイロセンサ４２に供給されてしまうのを抑制することができる。その結果、リモコン６の電源部４４の電力消費量を効果的に低減することができる。
【００８７】
さらに、ユーザがマウス４０とＵＳＢインターフェース３２との接続を解除した際には、ユーザはリモコン６を再び操作すると考えられる。そのため、このタイミングでセットトップボックス４からリモコン６に第２の信号を送信することにより、ユーザはリモコン６の操作をスムーズに再開することができる。
【００８８】
なお、本実施の形態では、セットトップボックス４の制御部３６は、セットトップボックス４にＵＳＢ機器が接続されたと判断した際に、リモコン６に第１の信号を送信したが、セットトップボックス４にリモコンアプリケーションを起動させたスマートフォン又はタブレット機器等（操作装置を構成する）が接続されたと判断した際に、リモコン６に第１の信号を送信してもよい。
【００８９】
（実施の形態３）
次に、図７を参照しながら、実施の形態３に係る電子機器システムの構成について説明する。図７は、実施の形態３に係る電子機器システムにおける、通常モードと省電力モードとの切り替えの流れを示すシーケンス図である。
【００９０】
本実施の形態の電子機器システム２は、上記実施の形態１の電子機器システムと同様の機能的構成を備えているので、セットトップボックス４及びリモコン６の各々の機能的構成については、図１〜図３を参照しながら説明する。
【００９１】
本実施の形態の電子機器システム２では、タイマ３４は、セットトップボックス４がリモコン６によって遠隔操作されてからの経過時間をカウントする。なお、「セットトップボックス４がリモコン６によって遠隔操作される」とは、ユーザによってリモコン６のキーが操作されたことだけでなく、ユーザによってリモコン６が上下左右に動かされたことをも意味する。本実施の形態では、前者のみを意味する場合について説明する。
【００９２】
セットトップボックス４の制御部３６は、セットトップボックス４がリモコン６によって所定時間（例えば、数秒〜十数秒）遠隔操作されなかった（すなわち、セットトップボックス４において第１の条件が満たされた）と判断した際に、リモコン６に第１の信号を送信する。制御部３６は、タイマ３４によりカウントされた経過時間に基づいて、セットトップボックス４がリモコン６によって所定時間遠隔操作されなかったと判断する。なお、「セットトップボックス４がリモコン６によって遠隔操作されなかった」とは、ユーザによってリモコン６のキーが操作されなかったことだけでなく、ユーザによってリモコン６が上下左右に動かされなかったことをも意味する。本実施の形態では、前者のみを意味する場合について説明する。
【００９３】
リモコン６の制御部５０は、セットトップボックス４からの第１の信号を受信した後に、リモコン６の操作があった場合に、電源部４４を省電力モードから通常モードに切り替える。なお、「リモコン６の操作があった」とは、ユーザによってリモコン６のキーが操作されたことだけでなく、ユーザによってリモコン６が上下左右に動かされたことをも意味する。本実施の形態では、前者のみを意味する場合について説明する。
【００９４】
次に、図７を参照しながら、本実施の形態の電子機器システム２における、通常モードと省電力モードとの切り替えの流れについて説明する。図７に示すように、セットトップボックス４では、ユーザがリモコン６のモード切替キー１８を押すことによりポインティングモードに切り替えられている（Ｓ５１）。さらに、リモコン６の電源部４４は、通常モードに切り替えられている（Ｓ５２）。
【００９５】
この状態で、ユーザがリモコン６を手に持って上下左右に動かすことにより、リモコン６からセットトップボックス４にリモコン信号（角速度情報）が送信される（Ｓ５３）。その後、ユーザがリモコン６のキーを操作することにより、リモコン６からセットトップボックス４にリモコン信号（キー入力情報）が送信される（Ｓ５４）。
【００９６】
その後、セットトップボックス４がリモコン６によって所定時間（例えば、２０秒）遠隔操作されなかった際には（Ｓ５５）、セットトップボックス４からリモコン６に第１の信号が送信される（Ｓ５６）。リモコン６の電源部４４は、セットトップボックス４からの第１の信号に基づいて、通常モードから省電力モードに切り替えられる（Ｓ５７）。これにより、電源部４４からジャイロセンサ４２への電力の供給が遮断される。
【００９７】
その後、ユーザがリモコン６のキーを操作した際には（Ｓ５８）、リモコン６の電源部４４は、省電力モードから通常モードに再び切り替えられる（Ｓ５９）。これにより、電源部４４からジャイロセンサ４２への電力の供給が再開される。
【００９８】
なお、上述したステップＳ５８において、リモコン６からセットトップボックス４にリモコン信号（キー入力情報）は送信されない。さらに、上述したステップＳ５８において、リモコン６からセットトップボックス４に、ジャイロセンサ４２への電力の供給が再開されたことを示す信号が送信される。
【００９９】
これ以降、ジャイロセンサ４２はリモコン６の角速度を再び検出するので、ユーザがリモコン６を手に持って上下左右に動かした場合には、リモコン６からセットトップボックス４にリモコン信号（角速度情報）が送信される（Ｓ６０）。
【０１００】
次に、本実施の形態の電子機器システム２により得られる効果について説明する。上述したように、ユーザがリモコン６のキーを所定時間操作していない際には、ユーザは、セットトップボックス４の操作を行う必要が無いためにリモコン６の操作を行わないものと考えられる。そのため、このタイミングでセットトップボックス４からリモコン６に第１の信号を送信することにより、ユーザがリモコン６の操作を行わない期間に電源部４４からの電力がジャイロセンサ４２に供給されてしまうのを抑制することができる。その結果、リモコン６の電源部４４の電力消費量を効果的に低減することができる。
【０１０１】
（実施の形態４）
次に、図８を参照しながら、実施の形態４に係る電子機器システムの構成について説明する。図８は、実施の形態４に係る電子機器システムにおける、通常モードと省電力モードとの切り替えの流れを示すシーケンス図である。
【０１０２】
本実施の形態の電子機器システム２は、上記実施の形態１の電子機器システムと同様の機能的構成を備えているので、セットトップボックス４及びリモコン６の各々の機能的構成については、図１〜図３を参照しながら説明する。
【０１０３】
本実施の形態の電子機器システム２では、タイマ３４は、表示パネル１２にメニュー画面がＯＳＤ表示されなくなってからの経過時間をカウントする。
【０１０４】
セットトップボックス４の制御部３６は、表示パネル１２にメニュー画面が所定時間（例えば、数十秒〜数分）ＯＳＤ表示されなかった（すなわち、セットトップボックス４において第１の条件が満たされた）と判断した際に、リモコン６に第１の信号を送信する。制御部３６は、タイマ３４によりカウントされた経過時間に基づいて、表示パネル１２にメニュー画面が所定時間ＯＳＤ表示されなかったと判断する。制御部３６は、さらに、リモコン６に第１の信号を送信した後に、表示パネル１２にメニュー画面がＯＳＤ表示された（すなわち、セットトップボックス４において第２の条件が満たされた）と判断した際に、リモコン６に第２の信号を送信する。
【０１０５】
なお、メニュー画面とは、例えば、コンテンツを再生するためのアプリケーションのメニュー画面、スケジューラ機能を有するアプリケーションのメニュー画面及びセットトップボックス４の設定変更を行うためのメニュー画面等である。あるいは、メニュー画面とは、例えば、メッセージ通信機能を有するアプリケーションがメッセージを受信した際に表示されるポップアップ画面等である。
【０１０６】
次に、図８を参照しながら、本実施の形態の電子機器システム２における、通常モードと省電力モードとの切り替えの流れについて説明する。図８に示すように、セットトップボックス４では、ユーザがリモコン６のモード切替キー１８を押すことによりポインティングモードに切り替えられている（Ｓ７１）。さらに、リモコン６の電源部４４は、通常モードに切り替えられている（Ｓ７２）。
【０１０７】
この状態で、ユーザがリモコン６を手に持って上下左右に動かすことにより、表示パネル１２上においてポインタ２０をアイコン２２（図１参照）の上に重ねる。このとき、リモコン６からセットトップボックス４にリモコン信号（角速度情報）が送信される（Ｓ７３）。その後、ユーザがリモコン６の決定キー１６を押すことにより、リモコン６からセットトップボックス４にリモコン信号（キー入力情報）が送信され（Ｓ７４）、アプリケーションが起動される。アプリケーションが起動された際には、表示パネル１２にアプリケーションのメニュー画面５２（図５参照）がＯＳＤ表示される（Ｓ７５）。
【０１０８】
その後、ユーザがリモコン６を操作することにより（Ｓ７６、Ｓ７７）、アプリケーションが終了され、アプリケーションのメニュー画面５２が表示パネル１２に表示されなくなる（Ｓ７８）。この状態で、ユーザがリモコン６を手に持って上下左右に動かした場合には、リモコン６からセットトップボックス４にリモコン信号（角速度情報）が送信され（Ｓ７９）、ポインタ２０の表示位置が移動される。
【０１０９】
その後、表示パネル１２にメニュー画面が所定時間（例えば、数十秒〜数分）ＯＳＤ表示されなかった際には（Ｓ８０）、セットトップボックス４からリモコン６に第１の信号が送信される（Ｓ８１）。リモコン６の電源部４４は、セットトップボックス４からの第１の信号に基づいて、通常モードから省電力モードに切り替えられる（Ｓ８２）。これにより、電源部４４からジャイロセンサ４２への電力の供給が遮断される。
【０１１０】
その後、例えば、スケジューラ機能を有するアプリケーションのメニュー画面（図示せず）が表示パネル１２にＯＳＤ表示された際には（Ｓ８３）、セットトップボックス４からリモコン６に第２の信号が送信される（Ｓ８４）。リモコン６の電源部４４は、セットトップボックス４からの第２の信号に基づいて、省電力モードから通常モードに再び切り替えられる（Ｓ８５）。これにより、電源部４４からジャイロセンサ４２への電力の供給が再開される。これ以降、ジャイロセンサ４２はリモコン６の角速度を再び検出するので、ユーザがリモコン６を手に持って上下左右に動かした場合には、リモコン６からセットトップボックス４にリモコン信号（角速度情報）が送信される（Ｓ８６）。
【０１１１】
次に、本実施の形態の電子機器システム２により得られる効果について説明する。上述したように、表示パネル１２にメニュー画面が所定時間ＯＳＤ表示されない際には、ユーザは、セットトップボックス４の操作を行う必要がないためにリモコン６の操作を行わないものと考えられる。そのため、このタイミングでセットトップボックス４からリモコン６に第１の信号を送信することにより、ユーザがリモコン６の操作を行わない期間に電源部４４からの電力がジャイロセンサ４２に供給されてしまうのを抑制することができる。その結果、リモコン６の電源部４４の電力消費量を効果的に低減することができる。
【０１１２】
さらに、表示パネル１２にメニュー画面が再びＯＳＤ表示された際には、ユーザはリモコン６を再び操作すると考えられる。そのため、このタイミングでセットトップボックス４からリモコン６に第２の信号を送信することにより、ユーザはリモコン６の操作をスムーズに再開することができる。
【０１１３】
以上、本発明の実施の形態１〜４に係る電子機器システムについて説明したが、本発明は、これらの実施の形態に限定されるものではない。例えば、上記各実施の形態をそれぞれ組み合わせるとしてもよい。
【０１１４】
上記各実施の形態では、電子機器をセットトップボックスで構成したが、これに限定されず、例えば、ブルーレイ（登録商標）ドライブ内蔵のテレビジョン受像機又はテレビジョン受像機に接続されるゲーム機本体等で構成することもできる。
【０１１５】
上記各実施の形態では、センサをジャイロセンサで構成したが、これに限定されず、例えば、リモコンの動きとしてのリモコンの加速度を検出する加速度センサで構成することもできる。
【０１１６】
なお、セットトップボックスとリモコンとがブルートゥースで双方向通信される場合において、セットトップボックスがリモコンのジャイロセンサをオン・オフする通信の具体例を以下に記載する。
【０１１７】
第１の例として、リモコンは、ＨＩＤ  Ｐｒｏｆｉｌｅに対応したデバイスとする。ＨＩＤ  Ｐｒｏｆｉｌｅに対応したデバイスは、ＵＳＢ規格のＨＩＤ  Ｃｌａｓｓで定義されるｒｅｐｏｒｔ  ｄｅｓｃｒｉｐｔｏｒを持つ。ｒｅｐｏｒｔ  ｄｅｓｃｒｉｐｔｏｒに予めジャイロセンサの状態をｉｔｅｍとして定義することにより、Ｂｌｕｅｔｏｏｔｈ（登録商標）  ＨＩＤ  Ｐｒｏｔｏｃｏｌ  Ｍｅｓｓａｇｅに規定されるＧＥＴ＿ＲＥＰＯＲＴ／ＳＥＴ＿ＲＥＰＯＲＴ  Ｍｅｓｓａｇｅを利用して、セットトップボックスはリモコンのジャイロセンサをオン・オフすることができる。
【０１１８】
第２の例として、リモコンは、ＨＩＤ  Ｐｒｏｆｉｌｅに対応したデバイスとする。ＨＩＤ  Ｐｒｏｆｉｌｅに対応したデバイスは、ＨＩＤ＿ＣＯＮＴＲＯＬリクエストに対応しており、リクエストメッセージの下位４ビットで示されるＣｏｎｔｒｏｌ  Ｏｐｅｒａｔｉｏｎ値は６〜１５がＲｅｓｅｒｖｅｄとされている。Ｒｅｓｅｒｖｅｄの値をベンダー固有値として利用することにより、セットトップボックスはリモコンのジャイロセンサをオン・オフすることができる。
【０１１９】
第３の例として、リモコンは、何らかのＰｒｏｆｉｌｅに対応したＢｌｕｅｔｏｏｔｈ（登録商標）デバイスとする。Ｂｌｕｅｔｏｏｔｈ（登録商標）  Ｃｏｒｅ規格で定義されるＨＣＩコマンドを、規格で定義されないＯｐＣｏｄｅをベンダー固有コマンドとして定義して利用することにより、セットトップボックスはリモコンのジャイロセンサをオン・オフすることができる。
【０１２０】
第４の例として、リモコンは、何らかのＰｒｏｆｉｌｅに対応したＢｌｕｅｔｏｏｔｈ（登録商標）デバイスとする。Ｂｌｕｅｔｏｏｔｈ（登録商標）  Ｃｏｒｅ規格で定義されるＲｅｑｕｅｓｔ（０ｘ０８）／Ｅｃｈｏ  Ｒｅｓｐｏｎｓｅ（０ｘ０９）のＤａｔａ  ｆｉｅｌｄを利用することにより、セットトップボックスはリモコンのジャイロセンサをオン・オフすることができる。
【０１２１】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１２２】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２３】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１２４】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１２５】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【０１２６】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１２７】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１２８】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【０１２９】
本発明の電子機器システムは、例えば、テレビジョン受像機に接続されたセットトップボックスをリモコンで遠隔操作する電子機器システム等として適用することができる。
【符号の説明】
【０１３０】
２  電子機器システム
４  セットトップボックス
６  リモコン
８  テレビジョン受像機
１２  表示パネル
１４  十字キー
１６  決定キー
１８  モード切替キー
２０  ポインタ
２２  アイコン
２４  記憶部
２６  リモコン通信部
２８，４８  通信部
３０  出力部
３２  ＵＳＢインターフェース
３４  タイマ
３６，５０  制御部
３８  インターネット
４０  マウス
４２  ジャイロセンサ
４４  電源部
４６  キー入力部
５２  メニュー画面
５４  再生ボタン
５６，５８  スキップボタン
６０  停止ボタン
６２  表示領域
【図１】
2015019238.tif 000003
【図２】
2015019238.tif 000004
【図３】
2015019238.tif 000005
【図４】
2015019238.tif 000006
【図５】
2015019238.tif 000007
【図６】
2015019238.tif 000008
【図７】
2015019238.tif 000009
【図８】
2015019238.tif 000010